(57)【要約】      （修正有）【課題】短時間の疲労感を取ることまたはストレスを減らすことが可能で、デスク面のスペースをとらない寝室デスク用装飾品を提供する。【解決手段】底板１０を含み、底板の頂部端面には装飾外殻２０が固定的に装着され、装飾外殻の左側端面には回転リング１２が回転できるように装着され、第二ギヤが回転して左右両側の第一ギヤを連動させて互いに反対方向に回転させ、これにより螺旋装飾品１７が回転して飾り効果を添えることを実現し、第四ベベルギヤが回転して第五ベベルギヤを連動させて回転させ、第五ベベルギヤが回転して回し輪を連動させて回転させ、回し輪が回転して回し歯を連動させてスライダ２６を回させ、スライダは引き糸２９を引き動かすことができ、これによりばね絵文字１８が自動的に上下に跳ねられ、各種の装飾品を動けるように展示し、ペンや鉛筆などを置く筆筒２１を加える。【選択図】図１
2020182783.tif 000002
【特許請求の範囲】
【請求項１】
正面視で、底板を含み、前記底板の頂部端面には装飾外殻が固定的に装着され、前記装飾外殻の左側端面には回転リングが回転できるように装着され、前記回転リングと前記装飾外殻には装飾部品が設置され、前記装飾部品は前記回転リングの中に固定的に装着された砂時計を含み、前記底板の頂部端面には弾性がある第二電極接点が左右対称的に設置され、前記装飾外殻の前側の凸台の頂部端面にはストレスを減らすことができるばね絵文字が固定的に装着され、前記装飾外殻の頂部端面には螺旋装飾品が固定的に設置され、前記装飾外殻の前側にはペンや鉛筆などを収納できる筆筒が設置され、前記装飾外殻の内部には前記螺旋装飾品を連動させて回転させることも前記ばね絵文字を連動させて運動させることもできる駆動部品が設置され、
前記駆動部品は前記装飾外殻の中に設置された第一ギヤチャンバを含み、前記第一ギヤチャンバの下側には第二ギヤチャンバが設置され、前記第一ギヤチャンバと前記装飾外殻の頂部端面との間には回転ロッドが左右対称的に回転できるように装着され、前記回転ロッドの頂部端面が前記螺旋装飾品と固定的に装着され、前記回転ロッドの底部端面には第一ギヤが固定的に装着され、前記第一ギヤチャンバと前記第二ギヤチャンバとの間には第一ギヤ軸が回転できるように装着され、前記第一ギヤ軸の頂部端面には第二ギヤが固定的に装着され、前記第二ギヤの外輪には外歯が設置され、内部には内歯が設置され、前記第二ギヤにある内歯が左側の前記第一ギヤと噛み合っており、前記第二ギヤにある外歯が右側の前記第一ギヤと噛み合っており、これにより第二ギヤが回転する時、左右の二つの螺旋装飾品の回転方向が逆さであることを実現し、
前記駆動部品はまた前記装飾外殻の中に設置された回しチャンバを含み、前記装飾外殻の後側には摩擦車チャンバが設置され、前記摩擦車チャンバと前記回しチャンバとの間には第一摩擦車軸が回転できるように装着され、前記第一摩擦車軸の前側端面には回し輪が固定的に装着され、前記回し輪には回し歯が固定的に装着され、前記回しチャンバの左側内壁にはスライダがスライドできるように装着され、前記スライダと前記ばね絵文字の底壁との間には前記回しチャンバの頂壁を貫通している引き糸が固定的に装着され、回し歯がスライダを回して下方へ運動させる時、引き糸がばね絵文字を引き動かし、ばね絵文字が上下に跳ねられ、
前記駆動部品の中にはまた前記ばね絵文字の動力伝送を制御できる制御部品を含み、前記制御部品は前記回しチャンバの後側に設置された前記摩擦車チャンバを含み、前記摩擦車チャンバの後側には第三ギヤチャンバが設置され、前記第三ギヤチャンバと前記摩擦車チャンバとの間には第二摩擦車軸が回転できるように装着され、前記第二摩擦車軸の前側末端には第一摩擦車がスプラインにより装着され、前記第一摩擦車の後側端面には前記第一摩擦車を推し動かして前記第二摩擦車軸で前後にスライドさせることができる推し筒が回転できるように装着され、前記推し筒と前記摩擦車チャンバの後側内壁との間には引き動かしばねが固定的に装着され、前記第一摩擦車軸の後側端面には第二摩擦車が固定的に装着され、前記摩擦車チャンバの右側にはボタン溝が設置され、前記ボタン溝の中にはボタンロッドがスライドできるように装着され、前記ボタンロッドと前記摩擦車チャンバとの間には推しロッドがスライドできるように装着され、前記推しロッドが前記推し筒とスライドできるように装着され、前記推しロッドが前記ボタンロッドとスライドできるように装着され、ボタンロッドを押した後、ボタンロッドが推しロッドを推し動かしてスライドさせ、推しロッドが推し筒を推し動かし、これにより第一摩擦車と第二摩擦車とが互いに接触して摩擦し、動力をばね絵文字に伝送し、これによりばね絵文字が上下に跳ねられ、引き動かしばねがばね絵文字を引き動かす動力を断つことを制御できることを特徴とする寝室デスク用装飾品。
【請求項２】
前記装飾部品はまた前記装飾外殻の後側端面に設置された後方へ開口した灯光溝を含み、前記灯光溝の中には照明灯が固定的に装着され、前記砂時計には装飾灯が上下対称的に、且つ固定的に装着されていることを特徴とする請求項１に記載の寝室デスク用装飾品。
【請求項３】
前記駆動部品はまた前記第二ギヤチャンバの左側内壁の中に固定的に装着されたモーターを含み、前記モーターの出力軸端面にはモーター軸が固定的に連結され、前記モーター軸の右側端面には第一ベベルギヤが固定的に装着され、前記第一ギヤ軸の底部端面には第二ベベルギヤが固定的に装着され、前記第一ベベルギヤが前記第二ベベルギヤと噛み合っており、前記モーター軸の左側端面には第四ベベルギヤが固定的に装着され、前記第二摩擦車軸の後側端面には第五ベベルギヤが固定的に装着され、前記第五ベベルギヤが前記第四ベベルギヤと噛み合っていることを特徴とする請求項１に記載の寝室デスク用装飾品。
【発明の詳細な説明】
【技術分野】
【０００１】
本発明はデスク面装飾用品分野を取り上げて、具体的には寝室デスク用装飾品である。
【背景技術】
【０００２】
人々はデスクで長時間勉強または仕事をした後、疲れが出やすく、現在のほとんどのデスク面の装飾品は静止状態にある飾り物であり、短時間の疲労感を取ることまたはストレスを減らすことには効果が少なく、デスク面に多すぎる物を置くとデスク面がぐちゃぐちゃになって使用できるスペースが小さくなる。
【先行技術文献】
【特許文献】
【０００３】
【特許文献１】中国特許出願公開第１０６１７１９２４号明細書
【発明の概要】
【発明が解決しようとする課題】
【０００４】
本発明は寝室デスク用装飾品を提供し、従来技術における上記欠点を解消することを目的とする。
【課題を解決するための手段】
【０００５】
本発明の実施例の寝室デスク用装飾品は、底板を含み、前記底板の頂部端面には装飾外殻が固定的に装着され、前記装飾外殻の左側端面には回転リングが回転できるように装着され、前記回転リングと前記装飾外殻には装飾部品が設置され、前記装飾部品は前記回転リングの中に固定的に装着された砂時計を含み、前記底板の頂部端面には弾性がある第二電極接点が左右対称的に設置され、前記装飾外殻の前側の凸台の頂部端面にはストレスを減らすことができるばね絵文字が固定的に装着され、前記装飾外殻の頂部端面には螺旋装飾品が固定的に設置され、前記装飾外殻の前側にはペンや鉛筆などを収納できる筆筒が設置され、前記装飾外殻の内部には前記螺旋装飾品を連動させて回転させることも前記ばね絵文字を連動させて運動させることもできる駆動部品が設置され、前記駆動部品は前記装飾外殻の中に設置された第一ギヤチャンバを含み、前記第一ギヤチャンバの下側には第二ギヤチャンバが設置され、前記第一ギヤチャンバと前記装飾外殻の頂部端面との間には回転ロッドが左右対称的に回転できるように装着され、前記回転ロッドの頂部端面が前記螺旋装飾品と固定的に装着され、前記回転ロッドの底部端面には第一ギヤが固定的に装着され、前記第一ギヤチャンバと前記第二ギヤチャンバとの間には第一ギヤ軸が回転できるように装着され、前記第一ギヤ軸の頂部端面には第二ギヤが固定的に装着され、前記第二ギヤの外輪には外歯が設置され、内部には内歯が設置され、前記第二ギヤにある内歯が左側の前記第一ギヤと噛み合っており、前記第二ギヤにある外歯が右側の前記第一ギヤと噛み合っており、これにより第二ギヤが回転する時、左右の二つの螺旋装飾品の回転方向が逆さであることを実現し、前記駆動部品はまた前記装飾外殻の中に設置された回しチャンバを含み、前記装飾外殻の後側には摩擦車チャンバが設置され、前記摩擦車チャンバと前記回しチャンバとの間には第一摩擦車軸が回転できるように装着され、前記第一摩擦車軸の前側端面には回し輪が固定的に装着され、前記回し輪には回し歯が固定的に装着され、前記回しチャンバの左側内壁にはスライダがスライドできるように装着され、前記スライダと前記ばね絵文字の底壁との間には前記回しチャンバの頂壁を貫通している引き糸が固定的に装着され、回し歯がスライダを回して下方へ運動させる時、引き糸がばね絵文字を引き動かし、ばね絵文字が上下に跳ねられてストレスを減らす目的を果たし、前記駆動部品の中にはまた前記ばね絵文字の動力伝送を制御できる制御部品を含み、前記制御部品は前記回しチャンバの後側に設置された前記摩擦車チャンバを含み、前記摩擦車チャンバの後側には第三ギヤチャンバが設置され、前記第三ギヤチャンバと前記摩擦車チャンバとの間には第二摩擦車軸が回転できるように装着され、前記第二摩擦車軸の前側末端には第一摩擦車がスプラインにより装着され、前記第一摩擦車の後側端面には前記第一摩擦車を推し動かして前記第二摩擦車軸で前後にスライドさせることができる推し筒が回転できるように装着され、前記推し筒と前記摩擦車チャンバの後側内壁との間には引き動かしばねが固定的に装着され、前記第一摩擦車軸の後側端面には第二摩擦車が固定的に装着され、前記摩擦車チャンバの右側にはボタン溝が設置され、前記ボタン溝の中にはボタンロッドがスライドできるように装着され、前記ボタンロッドと前記摩擦車チャンバとの間には推しロッドがスライドできるように装着され、前記推しロッドが前記推し筒とスライドできるように装着され、前記推しロッドが前記ボタンロッドとスライドできるように装着され、ボタンロッドを押した後、ボタンロッドが推しロッドを推し動かしてスライドさせ、推しロッドが推し筒を推し動かし、これにより第一摩擦車と第二摩擦車とが互いに接触して摩擦し、動力をばね絵文字に伝送し、これによりばね絵文字が上下に跳ねられ、引き動かしばねがばね絵文字を引き動かす動力を断つことを制御できる。
【０００６】
更の技術プランとしては、前記装飾部品はまた前記装飾外殻の後側端面に設置された後方へ開口した灯光溝を含み、前記灯光溝の中には照明灯が固定的に装着され、前記砂時計には装飾灯が上下対称的に、且つ固定的に装着されている。
【０００７】
更の技術プランとしては、前記駆動部品はまた前記第二ギヤチャンバの左側内壁の中に固定的に装着されたモーターを含み、前記モーターの出力軸端面にはモーター軸が固定的に連結され、前記モーター軸の右側端面には第一ベベルギヤが固定的に装着され、前記第一ギヤ軸の底部端面には第二ベベルギヤが固定的に装着され、前記第一ベベルギヤが前記第二ベベルギヤと噛み合っており、前記モーター軸の左側端面には第四ベベルギヤが固定的に装着され、前記第二摩擦車軸の後側端面には第五ベベルギヤが固定的に装着され、前記第五ベベルギヤが前記第四ベベルギヤと噛み合っている。
【発明の効果】
【０００８】
本発明の有益効果は：本発明は各種の装飾品を動けるように展示し、ストレスを減らす効果を向上させ、ペンや鉛筆などを置く筆筒を加え、デスク面に取るスペースを減り、デスク面のきれいさを上げ、普及する価値がある。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の全体構成模式図
【図２】図２は図１の背面構成模式図
【図３】図３は図１のＡ―Ａ方向の断面構成模式図
【図４】図４は図３のＢ―Ｂ方向の断面構成模式図
【図５】図５は図３のＣの拡大構成模式図
【発明を実施するための形態】
【００１１】
図１〜５を参照し、本発明の実施例の寝室デスク用装飾品は、底板１０を含み、前記底板１０の頂部端面には装飾外殻２０が固定的に装着され、前記装飾外殻２０の左側端面には回転リング１２が回転できるように装着され、前記回転リング１２と前記装飾外殻２０には装飾部品８０が設置され、前記装飾部品８０は前記回転リング１２の中に固定的に装着された砂時計１４を含み、前記底板１０の頂部端面には弾性がある第二電極接点４３が左右対称的に設置され、前記装飾外殻２０の前側の凸台の頂部端面にはストレスを減らすことができるばね絵文字１８が固定的に装着され、前記装飾外殻２０の頂部端面には螺旋装飾品１７が固定的に設置され、前記装飾外殻２０の前側にはペンや鉛筆などを収納できる筆筒２１が設置され、前記装飾外殻２０の内部には前記螺旋装飾品１７を連動させて回転させることも前記ばね絵文字１８を連動させて運動させることもできる駆動部品８１が設置されている。    
【００１２】
前記駆動部品８１は前記装飾外殻２０の中に設置された第一ギヤチャンバ３３を含み、前記第一ギヤチャンバ３３の下側には第二ギヤチャンバ４４が設置され、前記第一ギヤチャンバ３３と前記装飾外殻２０の頂部端面との間には回転ロッド１９が左右対称的に回転できるように装着され、前記回転ロッド１９の頂部端面が前記螺旋装飾品１７と固定的に装着され、前記回転ロッド１９の底部端面には第一ギヤ３５が固定的に装着され、前記第一ギヤチャンバ３３と前記第二ギヤチャンバ４４との間には第一ギヤ軸３６が回転できるように装着され、前記第一ギヤ軸３６の頂部端面には第二ギヤ３４が固定的に装着され、前記第二ギヤ３４の外輪には外歯が設置され、内部には内歯が設置され、前記第二ギヤ３４にある内歯が左側の前記第一ギヤ３５と噛み合っており、前記第二ギヤ３４にある外歯が右側の前記第一ギヤ３５と噛み合っており、これにより第二ギヤ３４が回転する時、左右の二つの螺旋装飾品１７の回転方向が逆さであることを実現する。    
【００１３】
前記駆動部品８１はまた前記装飾外殻２０の中に設置された回しチャンバ２３を含み、前記装飾外殻２０の後側には摩擦車チャンバ４８が設置され、前記摩擦車チャンバ４８と前記回しチャンバ２３との間には第一摩擦車軸２５が回転できるように装着され、前記第一摩擦車軸２５の前側端面には回し輪２４が固定的に装着され、前記回し輪２４には回し歯２８が固定的に装着され、前記回しチャンバ２３の左側内壁にはスライダ２６がスライドできるように装着され、前記スライダ２６と前記ばね絵文字１８の底壁との間には前記回しチャンバ２３の頂壁を貫通している引き糸２９が固定的に装着され、回し歯２８がスライダ２６を回して下方へ運動させる時、引き糸２９がばね絵文字１８を引き動かし、ばね絵文字１８が上下に跳ねられてストレスを減らす目的を果たす。
【００１４】
前記駆動部品８１の中にはまた前記ばね絵文字１８の動力伝送を制御できる制御部品８２を含み、前記制御部品８２は前記回しチャンバ２３の後側に設置された前記摩擦車チャンバ４８を含み、前記摩擦車チャンバ４８の後側には第三ギヤチャンバ３９が設置され、前記第三ギヤチャンバ３９と前記摩擦車チャンバ４８との間には第二摩擦車軸４７が回転できるように装着され、前記第二摩擦車軸４７の前側末端には第一摩擦車５１がスプラインにより装着され、前記第一摩擦車５１の後側端面には前記第一摩擦車５１を推し動かして前記第二摩擦車軸４７で前後にスライドさせることができる推し筒５０が回転できるように装着され、前記推し筒５０と前記摩擦車チャンバ４８の後側内壁との間には引き動かしばね４９が固定的に装着され、前記第一摩擦車軸２５の後側端面には第二摩擦車５２が固定的に装着され、前記摩擦車チャンバ４８の右側にはボタン溝５４が設置され、前記ボタン溝５４の中にはボタンロッド５５がスライドできるように装着され、前記ボタンロッド５５と前記摩擦車チャンバ４８との間には推しロッド５３がスライドできるように装着され、前記推しロッド５３が前記推し筒５０とスライドできるように装着され、前記推しロッド５３が前記ボタンロッド５５とスライドできるように装着され、ボタンロッド５５を押した後、ボタンロッド５５が推しロッド５３を推し動かしてスライドさせ、推しロッド５３が推し筒５０を推し動かし、これにより第一摩擦車５１と第二摩擦車５２とが互いに接触して摩擦し、動力をばね絵文字１８に伝送し、これによりばね絵文字１８が上下に跳ねられ、引き動かしばね４９がばね絵文字１８を引き動かす動力を断つことを制御できる。
【００１５】
前記装飾部品８０はまた前記装飾外殻２０の後側端面に設置された後方へ開口した灯光溝３０を含み、前記灯光溝３０の中には照明灯３１が固定的に装着され、前記砂時計１４には装飾灯１６が上下対称的に、且つ固定的に装着され、手動でばね絵文字１８を押すとばね絵文字１８が上下に跳ねられてストレスを減らす目的を果たす。
【００１６】
前記駆動部品８１はまた前記第二ギヤチャンバ４４の左側内壁の中に固定的に装着されたモーター３８を含み、前記モーター３８の出力軸端面にはモーター軸３７が固定的に連結され、前記モーター軸３７の右側端面には第一ベベルギヤ４６が固定的に装着され、前記第一ギヤ軸３６の底部端面には第二ベベルギヤ４５が固定的に装着され、前記第一ベベルギヤ４６が前記第二ベベルギヤ４５と噛み合っており、前記モーター軸３７の左側端面には第四ベベルギヤ４０が固定的に装着され、前記第二摩擦車軸４７の後側端面には第五ベベルギヤ４１が固定的に装着され、前記第五ベベルギヤ４１が前記第四ベベルギヤ４０と噛み合っており、これによりモーター３８を始動し、モーター３８が第四ベベルギヤ４０と第一ベベルギヤ４６とを連動させて回転させ、第一ベベルギヤ４６が回転して第二ギヤ３４を連動させて回転させ、第二ギヤ３４が回転して左右両側の第一ギヤ３５を連動させて互いに反対方向に回転させ、これにより螺旋装飾品１７が回転して飾り効果を添えることを実現し、第四ベベルギヤ４０が回転して第五ベベルギヤ４１を連動させて回転させ、第五ベベルギヤ４１が回転して回し輪２４を連動させて回転させ、回し輪２４が回転して回し歯２８を連動させてスライダ２６を回させ、スライダ２６は引き糸２９を引き動かすことができ、これによりばね絵文字１８が自動的に上下に跳ねられる。
【００１７】
使用する時、手動でばね絵文字１８を押すとばね絵文字１８が上下に跳ねられてストレスを減らす目的を果たし、モーター３８を始動し、モーター３８が第四ベベルギヤ４０と第一ベベルギヤ４６とを連動させて回転させ、第一ベベルギヤ４６が回転して第二ギヤ３４を連動させて回転させ、第二ギヤ３４が回転して左右両側の第一ギヤ３５を連動させて互いに反対方向に回転させ、これにより螺旋装飾品１７が回転して飾り効果を添えることを実現し、第四ベベルギヤ４０が回転して第五ベベルギヤ４１を連動させて回転させ、第五ベベルギヤ４１が回転して第一摩擦車５１を連動させて回転させ、ボタンロッド５５を押し、ボタンロッド５５が推し筒５０を推し動かし、これにより第一摩擦車５１と第二摩擦車５２とが互いに接触して摩擦し、これにより回し輪２４を回転させ、回し輪２４が回転して回し歯２８を連動させてスライダ２６を回させ、スライダ２６は引き糸２９を引き動かすことができ、これによりばね絵文字１８が自動的に上下に跳ねられ、ボタンロッド５５を後方へ引き動かし、これにより第一摩擦車５１と第二摩擦車５２とが接触しなくなり、これによりモーターの動力をばね絵文字１８に伝送しないことを制御し、ばね絵文字１８はモーター３８の始動で自動的に上下に跳ねない。
【００１８】
本発明の有益効果は：本発明は各種の装飾品を動けるように展示し、ストレスを減らす効果を向上させ、ペンや鉛筆などを置く筆筒を加え、デスク面に取るスペースを減り、デスク面のきれいさを上げ、普及する価値がある。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182783.tif 000003
【図２】
2020182783.tif 000004
【図３】
2020182783.tif 000005
【図４】
2020182783.tif 000006
【図５】
2020182783.tif 000007